(57)【特許請求の範囲】
【請求項１】
上下端開口の中空筒状金具と、この筒状金具の下端部の外周に嵌合して装着され、かつ下端部に環状突部が設けられているとともに、流体管に穿孔された分岐口から突出した上端部に外向き環状フランジ部が設けられたゴム輪と、このゴム輪の環状フランジ部に当接する内向き環状フランジ部を下端部に有する筒状の取付ナットとを具え、前記筒状金具は薄肉状に形成され、下端部の内面はその外径が分岐口より大きくなるように凸状湾曲面にした拡径部に形成されているとともに、上端部側には前記取付ナットの内向き環状フランジ部の上面に係合する外向き環状凸部が形成されている分水栓において、前記筒状金具の上端部に止水こまが螺合して装着され、この止水こまを内包するように蓋体が前記取付ナットに螺合して装着されていることを特徴とする分水栓。
【請求項２】
止水こまの上端部外周におねじが形成されているとともに、上面に凹所が形成され、この凹所の内周にめねじが形成されているとともに、該凹所の底面に多角形凹部が形成されている請求項１記載の分水栓。
【請求項３】
請求項２記載の分水栓を使用した不断水での分岐金具の取付装置であって、上下端が開口し、かつ中間部に横向きの枝管取付部を有する中空筒状の本体を具え、この本体の下端部外周に取付ナットの上端部内周に形成しためねじに螺合するおねじが形成され、下端部内周に止水リングが装着されているとともに、上端部内周に止水こまの上端部おねじと螺合するめねじが形成された分岐金具と、この分岐金具の本体の上端部に水密に装着された軸支持部材と、この軸支持部材から分岐金具の本体内に水密に摺動自在に配設された中空の連結軸と、この連結軸内に摺動自在に嵌合されたスピンドル軸とを具え、このスピンドル軸の下端部が止水こまの多角形凹部に差し込まれて止水こまを回転可能な多角形凸部に形成され、連結軸の下端部に止水こまの凹所のめねじに螺合するおねじが形成されていることを特徴とする分岐金具の取付装置。
【請求項４】
請求項３記載の取付装置を用いて分水栓を使用した不断水での分岐金具の取付を行う方法であって、分水栓の蓋体を外し、止水こまの多角形凹部にスピンドル軸の下端部の多角形凸部を差し込むとともに、連結軸の下端部おねじを止水こまの上端部めねじに螺合し、この連結軸に装着された分岐金具を該軸を案内としてその下端部おねじを取付ナットの上端部めねじに螺合し、分岐金具の下端部と筒状金具の上端部を止水リングで止水した後、分岐金具の枝管取付部に枝管を取り付けるとともに、スピンドル軸の上端部に取り付けたハンドルを廻して止水こまを筒状金具から外し、さらに連結軸を引き上げて止水こまが分岐金具の内方上部に位置するようにして分岐金具の上端部めねじに止水こまの上端部おねじを螺合させた後、連結軸を止水こまから外し、スピンドル軸とともに分岐金具から取り外すことを特徴とする分岐金具の取付方法。
【発明の詳細な説明】
【０００１】
【発明の属する技術分野】
この発明は、水道管などの流体管に穿孔された分岐口に取付けられる分水栓及び該分水栓を使用した不断水での分岐金具の取付装置とその方法に関するものである。
【０００２】
【従来の技術】
図８は従来の分水栓を示す。この分水栓５１は下端部が拡径部５３に形成された上下端開口の薄肉状の中空筒状金具５２と、該筒状金具の外周に嵌合して装着されたゴム輪５４と、該ゴム輪の上方の筒状金具５２の外周に嵌合して装着された取付ナット５５等から構成されている。５６は流体管としての金属管である。５９は管５６に穿孔された分岐口である。筒状金具５２の拡径部５３の内面はその外径が分岐口５９より大きくなるように凸状湾曲面５８に形成され、拡径部５３の外縁は管５６の内面近くに位置している。ゴム輪５４の分岐口５９から突出した上端部には外向き環状フランジ部６０が形成され、分岐口５９から管５６内面を臨む下端部には内向き環状突部６１が形成されている。取付ナット５５は筒状金具５２より内外径とも大きい上下端開口の中空筒状を呈し、下端部にはゴム輪５４のフランジ部６０の上面に当接する内向き環状フランジ部６２が設けられている。フランジ部６２の内径は筒状金具５２の外径よりやや大きい程度となっている。６３は取付ナット５５の内周面に形成された分岐管（分岐金具）６４取付用めねじ部である。また、筒状金具５２の上端部には取付ナット５５のフランジ部６２の上面に当接する外向き環状フランジ部６５が設けられている。６６は分岐金具６４の取付ナット５５への螺合により分岐金具６４の下端と外向き環状フランジ部６５の間で圧接されて介在するガスケット（パッキン）である。このような構成の分水栓５１においては、取付ナット５５に螺合された分岐金具６４でパッキン６６を圧接し、止水効果を高めている。該止水部は筒状金具５２のフランジ部６５を取付ナット５５と分岐金具６４で挟持する部分でもある。
【０００３】
【発明が解決しようとする課題】
ところで、前記のような構成の分水栓５１においては、拡径後、分岐金具６４のめねじ部６３に図示しない枝管を接続するか、または必要により多方向ボール弁或は止水用栓（蓋）を取り付けるが、いずれにしても分水栓５１を使用した不断水での分岐金具６４の取り付けができないという問題があった。
【０００４】
そこでこの発明は、前記のような従来の問題点を解決し、不断水での分岐金具の取り付けを可能とする分水栓及び該分水栓を使用した不断水での分岐金具の取付装置とその方法を提供することを目的とする。
【０００５】
【課題を解決するための手段】
前記目的を達成するため、請求項１の発明は、上下端開口の中空筒状金具と、この筒状金具の下端部の外周に嵌合して装着され、かつ下端部に環状突部が設けられているとともに、流体管に穿孔された分岐口から突出した上端部に外向き環状フランジ部が設けられたゴム輪と、このゴム輪の環状フランジ部に当接する内向き環状フランジ部を下端部に有する筒状の取付ナットとを具え、前記筒状金具は薄肉状に形成され、下端部の内面はその外径が分岐口より大きくなるように凸状湾曲面にした拡径部に形成されているとともに、上端部側には前記取付ナットの内向き環状フランジ部の上面に係合する外向き環状凸部が形成されている分水栓において、前記筒状金具の上端部に止水こまが螺合して装着され、この止水こまを内包するように蓋体が前記取付ナットに螺合して装着されていることを特徴とする。
【０００６】
請求項２の発明は、請求項１において、止水こまの上端部外周におねじが形成されているとともに、上面に凹所が形成され、この凹所の内周にめねじが形成されているとともに、該凹所の底面に多角形凹部が形成されていることを特徴とする。
【０００７】
請求項３の発明は、請求項２記載の分水栓を使用した不断水での分岐金具の取付装置であって、上下端が開口し、かつ中間部に横向きの枝管取付部を有する中空筒状の本体を具え、この本体の下端部外周に取付ナットの上端部内周に形成しためねじに螺合するおねじが形成され、下端部内周に止水リングが装着されているとともに、上端部内周に止水こまの上端部おねじと螺合するめねじが形成された分岐金具と、この分岐金具の本体の上端部に水密に装着された軸支持部材と、この軸支持部材から分岐金具の本体内に水密に摺動自在に配設された中空の連結軸と、この連結軸内に摺動自在に嵌合されたスピンドル軸とを具え、このスピンドル軸の下端部が止水こまの多角形凹部に差し込まれて止水こまを回転可能な多角形凸部に形成され、連結軸の下端部に止水こまの凹所のめねじに螺合するおねじが形成されていることを特徴とする。
【０００８】
請求項４の発明は、請求項３記載の取付装置を用いて分水栓を使用した不断水での分岐金具の取付を行う方法であって、分水栓の蓋体を外し、止水こまの多角形凹部にスピンドル軸の下端部の多角形凸部を差し込むとともに、連結軸の下端部おねじを止水こまの上端部めねじに螺合し、この連結軸に装着された分岐金具を該軸を案内としてその下端部おねじを取付ナットの上端部めねじに螺合し、分岐金具の下端部と筒状金具の上端部を止水リングで止水した後、分岐金具の枝管取付部に枝管を取り付けるとともに、スピンドル軸の上端部に取り付けたハンドルを廻して止水こまを筒状金具から外し、さらに連結軸を引き上げて止水こまが分岐金具の内方上部に位置するようにして分岐金具の上端部めねじに止水こまの上端部おねじを螺合させた後、連結軸を止水こまから外し、スピンドル軸とともに分岐金具から取り外すことを特徴とする。
【０００９】
【発明の実施の形態】
図１はこの発明の一実施の形態を示す分水栓が流体管の分岐口に装着された状態（蓋体は取付前）の縦断正面図、図２は分水栓を構成する各部材を分解して示す左半部破断の正面図である。両図において１は分水栓で、下端部が拡径部２に形成されているとともに、上端部側に外向き環状凸部３が形成された上下端開口の薄肉状の中空筒状金具４と、該筒状金具の下端部の外周に嵌合して装着されたゴム輪５と、該ゴム輪の上方で筒状金具４に形成された外向き環状凸部３下方の筒状金具４の外周に嵌合して装着された筒状の取付ナット６と、筒状金具４の上端部の内周に下端部が螺合して装着された止水こま７と、取付ナット６の内周面に螺合して装着される蓋体８とから構成されている。筒状金具４の上端部内周にはめねじ９が形成され、該めねじと螺合するおねじ１０が止水こま７の小径部外周に形成されている。止水こま７は下半部が小径部に上半部が大径部に形成され、両部の境にリング状の止水部材１１が嵌合して装着されている。大径部外周にもおねじ１２が形成されている。１３は止水こま７の上面中心部に形成した凹所１４の内周に形成されためねじ、１５はさらに凹所１４の底面中心部に形成された多角形凹部である。
【００１０】
１８は流体管で、該管には分岐口１９が穿孔されている。流体管１８の材質としては硬質管（ダクタイル管、鋼管など）あるいは軟質管（塩ビ管、ポリエチレン管など）のいずれでもよい。筒状金具４の拡径部２の内面はその外径が分岐口１９より大きくなるように凸状湾曲面２０に形成され、拡径部２の外縁は管１８の内面近くに位置している。ゴム輪５の分岐口１９から突出した上端部には外向き環状フランジ部２１が形成され、分岐口１９から管１８の内面を臨む下端部には内向き環状突部２２が形成されている。環状突部２２は拡径時における筒状金具４の挿入と拡径作用によりそれまでの内向きから外向きにされる。
【００１１】
取付ナット６は筒状金具４より内外径とも大きい上下端開口の中空筒状を呈し、下端部にはゴム輪５の環状フランジ部２１の上面に当接する内向き環状フランジ部２３が設けられている。フランジ部２３の内径は筒状金具４の外径よりやや大きい程度となっている。２５は取付ナット６の内周面に形成された分岐金具取り付け用めねじである。取付ナット６のめねじ２５の内径は筒状金具４の外向き環状凸部３の外径よりもわずかに大きく、また図２に示すように筒状金具４の胴部の外径ｄはゴム輪５の上端開口部に形成したやや大径の案内部５ａの内径ｂよりもわずかに大きくなっている。さらに図３に示すように分岐口１９の口径Ｄはゴム輪５の胴部の外径ａよりもわずかに大きくなっている。筒状金具４の外向き環状凸部３の下方の外周には回転止め外向き凸部２７が設けられ、取付ナット６の環状フランジ部２３の内周面に設けた縦向き回転止溝２８に嵌合して係合し、筒状金具４と取付ナット６が互いに回転し合わないようになっている。２９は蓋体８の胴部外周に設けられたおねじである。
【００１２】
前記構成の分水栓１を流体管１８の分岐口１９に取り付ける方法を、図３〜５を参照して説明する。筒状金具４の上半部を図示しない拡径装置のアダプタ３１の下端部から挿入し、筒状金具４の外向き環状凸部３がアダプタ３１の下端部に当接するように挿入する。次に取付ナット６を筒状金具４の下部から挿入し、取付ナット６の回転止溝２８に筒状金具４の外向き凸部２７が嵌合した状態で、取付ナット６をアダプタ３１の下部に螺合して一体化する。次にアダプタ３１および筒状金具４内に図示しない拡径装置の拡径用治具３２を該治具の下端が筒状金具４の下端部に位置するように上方から降下させて挿入する。また筒状金具４の下端部の外周面にゴム輪５の案内部５ａを預ける（図３）。
【００１３】
次に前記拡径装置を作動してゴム輪５、筒状金具４、取付ナット６、アダプタ３１及び拡径治具３２などの全体を降下させると、ゴム輪５の胴部が流体管１８の分岐口１９に挿入される。そしてゴム輪５の外向き環状フランジ部２１の下面が管１８の外周面に当接する（図４）。さらに降下させると、筒状金具４と拡径治具３２はゴム輪５内を降下する。このときゴム輪５の胴部は分岐口１９内周面に押圧される。さらに降下させると、筒状金具４はゴム輪５の下部の内向きの環状突部２２を押し広げながら通過し、ゴム輪５の下端より突出した状態になるとともに、取付ナット６の下面でゴム輪５の外向き環状フランジ部２１を管１８の外周面に押圧する。次に拡径治具３２を筒状金具４の下端よりさらに突出させ、拡径用部材３３を拡径治具３２から突出させ、拡径用部材３３の内側湾曲面に筒状金具４の下端部が当接するまで拡径治具３２を引き上げる。
【００１４】
しかる後、上記のような状態で拡径治具３２を、前記拡径装置の操作で上下動、かつ少しづつ回転させると筒状金具４の下端部は拡径部２に形成される（図５）。拡径部２を形成した後、拡径治具３２を少し下げて拡径用部材３３を収容し、拡径治具３２を分水栓１から引き上げ、取付ナット６とアダプタ３１の螺合を解く。そして、図１に示すように筒状金具４の上端部内周面に設けためねじ９に外周面に止水部材１１を装着した止水こま７のおねじ１０を、該こまの多角形凹部１５に図示しない工具を嵌合してハンドルを回転し、筒状金具４の上端部が止水部材１１を押圧するように螺合する。さらに、取付ナット６のめねじ２５に止水こま７を内包して脱落を防止し、かつ取付ナット６への土砂等の浸入を防止する蓋体８のおねじ２９を螺合して取り付ける。
【００１５】
図６は不断水分岐用の取付装置Ａを示し、この装置の分岐金具３５は上下端が開口し、かつ中間部に横向きの枝管取付部３６を有する中空筒状の本体３７を具えている。本体３７の下端部外周に取付ナット６のめねじ２５に螺合するおねじ３８が形成され、下端部内周に止水リング３９が環状凹所４０に嵌まって装着されている。本体３７の上端部内周に止水こま７の上端部おねじ１２と螺合するめねじ４１が形成されている。また本体３７の上端部に軸支持部材４２が螺合して装着されている。４３はパッキンで、軸支持部材４２と本体３７の水密を保持する。４４は軸支持部材４２から本体３７内に水密に摺動自在に配設された中空の連結軸で、該軸内にはスピンドル軸４５が摺動自在に嵌合されている。スピンドル軸４５の下端部は止水こま７の多角形凹部１５に差し込まれて止水こま７を回転可能な多角形凸部４６に形成されている。連結軸４４の下端小径部には止水こま７の凹所１４のめねじ１３に螺合するおねじ４７が形成されている。１６，１７は水密パッキン、４８は連結軸４４のストッパ部である。
【００１６】
次に図６，７を参照して取付装置Ａを用いて分水栓１を使用した不断水での分岐金具３５の取付方法を説明する。まず前記構成の分水栓１の蓋体８を外す。止水こま７の多角形凹部１５にスピンドル軸４５の下端部の多角形凸部４６を差し込む。連結軸４４の下端小径部に設けたおねじ４７を止水こま７のめねじ１３に螺合する（図６）。次に分岐金具本体３７の下端部に設けたおねじ３８を取付ナット６のめねじ２５に螺合する。この後に本体３７の枝管取付部３６に図示しない止水用ボールバルブなどを介在させた枝管を取り付ける。しかる後、スピンドル軸４５の上端部に図示しないハンドルを取り付け、該ハンドルを廻して止水こま７を筒状金具４から外す。また連結軸４４を引き上げて止水こま７が本体３７の内方上部に位置するようにし、ハンドルを廻して止水こま７の上面がパッキン４３に当接するように止水こま７のおねじ１２を本体３７のめねじ４１に螺合する。しかる後、連結軸４４を止水こま７から外し、本体３７からスピンドル軸４５と共に取り外す（図７）。この一連の手順により分水栓１から不断水のもとでの分岐分水を図ることができる。
【００１７】
【発明の効果】
請求項１，２の発明は前記のような構成からなるので、従来できなかった不断水での分岐金具の取り付けを可能とする分水栓を提供することができる。請求項３，４の発明は請求項２の発明の分水栓を使用して、埋設、通水後において必要に応じて止水こまを取り外すことで不断水のもとで容易に分岐金具を取り付け、分水のための分岐を図ることができるという優れた効果がある。
【図面の簡単な説明】
【図１】この発明の一実施の形態を示す分水栓が流体管の分岐口に装着された状態（蓋体は取付前）の縦断正面図である。
【図２】分水栓を構成する各部材を分解して示す左半部破断の正面図である。
【図３】分水栓を流体管の分岐口に取り付ける作用説明図である。
【図４】分水栓を流体管の分岐口に取り付ける作用説明図である。
【図５】分水栓を流体管の分岐口に取り付ける作用説明図である。
【図６】分水栓を使用した不断水での分岐金具の取付方法を説明する図面である。
【図７】分水栓を使用した不断水での分岐金具の取付方法を説明する図面である。
【図８】従来の分水栓が流体管の分岐口に装着された状態の縦断正面図である。
【符号の説明】
１  分水栓
４  筒状金具
５  ゴム輪
６  取付ナット
７  止水こま
８  蓋体
９  めねじ
１０  おねじ
１１  止水部材
１２  おねじ
１３  めねじ
１４  凹所
１５  多角形凹部
１８  流体管
１９  分岐口
３１  アダプタ
３５  分岐金具
４５  スピンドル軸
４６  多角形凸部
４７  おねじ
【図１】
0003628608.tif 000002
【図２】
0003628608.tif 000003
【図３】
0003628608.tif 000004
【図４】
0003628608.tif 000005
【図５】
0003628608.tif 000006
【図６】
0003628608.tif 000007
【図７】
0003628608.tif 000008
【図８】
0003628608.tif 000009